(57)【要約】【課題】吸収体の強度低下及び吸収体の厚みの増加を防止しつつ、吸収可能量を向上させる。【解決手段】上記課題は、上吸収要素４０は、下吸収要素５０の前後方向ＬＤの中間、かつ下吸収要素５０の幅方向ＷＤの中間に配置され、上吸収要素４０は、第１不織布層４１と、第２不織布層４２と、これら第１不織布層４１と第２不織布層４２との間に保持された高吸収性ポリマー粒子４３とを有する積層体であり、上吸収要素４０の幅方向ＷＤ両端部の位置に、上吸収要素４０と下吸収要素５０とが接合された接合部８０を有するとともに、これら接合部８０の間に位置し、上吸収要素４０の前後方向ＬＤ全体にわたり上吸収要素４０と下吸収要素５０とが接合されていない非接合部８１を有している、吸収性物品により解決される。【選択図】図１０
2018164633.tif 000002
【特許請求の範囲】
【請求項１】
下吸収要素と、
前記下吸収要素の上側に配置された上吸収要素とを有し、
前記上吸収要素は、前記下吸収要素の前後方向の中間、かつ前記下吸収要素の幅方向の中間に配置されており、
前記上吸収要素は、第１不織布層と、第２不織布層と、これら第１不織布層と第２不織布層との間に保持された高吸収性ポリマー粒子とを有する積層体であり、
前記上吸収要素の幅方向両端部の位置に、前記上吸収要素と前記下吸収要素とが接合された接合部を有するとともに、これら接合部の間に位置し、前記上吸収要素の前後方向全体にわたり前記上吸収要素と前記下吸収要素とが接合されていない非接合部を有している、
ことを特徴とする吸収性物品。
【請求項２】
前記上吸収要素に含まれる前記高吸収性ポリマー粒子は、前記第１不織布層及び第２不織布層の少なくとも一方に固定されている、
請求項１記載の吸収性物品。
【請求項３】
前記上吸収要素は、両側部が下側に折り返された折り返し部分となっており、前記上吸収要素における前記折り返し部分と非折り返し部分とが接合されておらず、前記接合部は前記折り返し部分と前記下吸収要素とが接合されたものである、
請求項１又は２記載の吸収性物品。
【請求項４】
前記下吸収要素は、パルプ繊維及び高吸収性ポリマー粒子の集積体、又はこの集積体を包装シートで包んだものである、
請求項１〜３のいずれか１項に記載の吸収性物品。
【請求項５】
前記下吸収要素は、前記非接合部における少なくとも前後方向及び幅方向の中間に、前後方向に細長く延びた、上面がくぼんだ凹部又は上下方向に貫通する貫通部を有する、
請求項１〜４のいずれか１項に記載の吸収性物品。
【請求項６】
前記下吸収要素の表層における前記非接合部と重なる部分に、疎水剤又は撥水剤が含有されている、
請求項１〜５のいずれか１項に記載の吸収性物品。
【請求項７】
前記上吸収要素の前縁と前記下吸収要素の前縁との前後方向の離間距離が、前記下吸収要素の全長の５〜４５％であり、
前記上吸収要素の後縁と前記下吸収要素の後縁との前後方向の離間距離が、前記下吸収要素の全長の５〜５０％であり、
前記上吸収要素の側縁と前記下吸収要素の側縁との幅方向の離間距離が、前記下吸収要素の全幅の５〜５０％であり、
前記非接合部の幅は、前記上吸収要素の全幅の１０〜８０％である、
請求項１〜６のいずれか１項に記載の吸収性物品。
【発明の詳細な説明】
【技術分野】
【０００１】
本発明は吸収性物品に関するものである。
【背景技術】
【０００２】
使い捨ておむつや生理用ナプキン等の吸収性物品では、一般に吸収可能量は多い方がよい。周知のように、吸収性物品の吸収可能量は吸収要素の素材とその含有量により決まる。よって、例えばパルプ繊維及び高吸収性ポリマー粒子を集積した一般的な吸収体を含む吸収要素において吸収可能量を増加させるには、吸収体のパルプ量を増加させるか、又は高吸収性ポリマー粒子の含有量を増加させることが一般的である。また、吸収体を二層構造とすることも、広く行われている。
【０００３】
しかし、吸収体のパルプ量を増加させたり、単に二層構造（例えば特許文献１、２参照）としたりすると、吸収体の厚みが増加し、装着感等の悪化を招くことになる。また、高吸収性ポリマー粒子の含有量を増加させると、パルプ繊維間の絡み合いが弱くなることにより、吸収体の強度が弱くなり、形状が崩れやすくなる。
【０００４】
さらに、吸収可能量は吸収体のすべてが有効に吸収に利用されたときに最大となるが、現実には、複数回の排泄に対して繰り返し吸収する場合であっても、吸収体の全体にまんべんなく排泄液が拡散することはないため、吸収体のすべてを吸収に使い切ることはできない。つまり、吸収可能量を増加するには、吸収体の素材とその含有量だけでなく、拡散性についても改善する必要がある。拡散性の改善策としては、拡散性を向上させるためのシートを吸収体上に付加したり、吸収体にスリットを設けたりすることが知られているが、前者は部材点数の増加、厚みの増加をもたらす点で、後者は吸収可能量を減少させる点では好ましい対策とはいえない。
【先行技術文献】
【特許文献】
【０００５】
【特許文献１】特開２００６−１６７１９６号公報
【特許文献２】特開２０１２−０３４７１５号公報
【発明の概要】
【発明が解決しようとする課題】
【０００６】
そこで、本発明の主たる課題は、吸収体の強度低下及び吸収体の厚みの増加を防止しつつ、吸収可能量を向上させること等にある。
【課題を解決するための手段】
【０００７】
上記課題を解決した本発明の代表的態様は以下のとおりである。
＜第１の態様＞
下吸収要素と、
前記下吸収要素の上側に配置された上吸収要素とを有し、
前記上吸収要素は、前記下吸収要素の前後方向の中間、かつ前記下吸収要素の幅方向の中間に配置されており、
前記上吸収要素は、第１不織布層と、第２不織布層と、これら第１不織布層と第２不織布層との間に保持された高吸収性ポリマー粒子とを有する積層体であり、
前記上吸収要素の幅方向両端部の位置に、前記上吸収要素と前記下吸収要素とが接合された接合部を有するとともに、これら接合部の間に位置し、前記上吸収要素の前後方向全体にわたり前記上吸収要素と前記下吸収要素とが接合されていない非接合部を有している、
ことを特徴とする吸収性物品。
【０００８】
（作用効果）
本態様では、排泄時、上吸収要素に供給された排泄液は上吸収要素内に浸透及び拡散し、一部は上吸収要素内の高吸収性ポリマー粒子に吸収され、残りは高吸収性ポリマー粒子により吸収されずに浸透及び拡散し、下吸収要素に向かうこととなる。ここで、非接合部では上吸収要素と下吸収要素との隙間が多く、上吸収要素から下吸収要素への排泄液の移行が起こりにくいため、上吸収要素内の排泄液は周囲に拡散しやすくなり、下吸収要素に対する排泄液の供給がより広範囲となる。つまり、上吸収要素の高吸収性ポリマー粒子による吸収可能量の増加に加え、拡散性の向上による吸収可能量の増加も図られる。しかも、上吸収要素は不織布を主体とするものであるため強度が高い。さらに、上吸収要素は高吸収性ポリマー粒子により吸収可能量を増加させるものであるため、吸収可能量を顕著に増加させても厚みの増加は非常に小さい。
【０００９】
＜第２の態様＞
前記上吸収要素に含まれる前記高吸収性ポリマー粒子は、前記第１不織布層及び第２不織布層の少なくとも一方に固定されている、
第１の態様の吸収性物品。
【００１０】
（作用効果）
本態様のような構造の上吸収要素は、高吸収性ポリマー粒子が排泄液を吸収して膨張すると剛性が向上し、吸収後において上吸収要素と下吸収要素との隙間が維持されやすくなるため、繰り返し吸収時の拡散性に優れるものとなる。
【００１１】
＜第３の態様＞
前記上吸収要素は、両側部が下側に折り返された折り返し部分となっており、前記上吸収要素における前記折り返し部分と非折り返し部分とが接合されておらず、前記接合部は前記折り返し部分と前記下吸収要素とが接合されたものである、
第１又は２の態様の吸収性物品。
【００１２】
（作用効果）
本態様のように、上吸収要素が折り返し部分を有し、この折り返し部分を脚としてそれ以外の部分が下吸収要素から浮いた構造となっていると、上吸収要素から下吸収要素への排泄液の移行がより一層起こりにくくなり、拡散性がさらに向上する。特に、上吸収要素に含まれる高吸収性ポリマー粒子が第１不織布層及び第２不織布層の少なくとも一方に接着されている形態では、高吸収性ポリマー粒子が排泄液を吸収して膨張すると上吸収要素の剛性が向上するだけでなく、高吸収性ポリマー粒子の膨張力が、折り返し部分を復元するように作用するため、吸収後においては上吸収要素と下吸収要素との隙間がより大きく、かつより多く形成されるようになり、繰り返し吸収時の拡散性がさらに向上する。
【００１３】
＜第４の態様＞
前記下吸収要素は、パルプ繊維及び高吸収性ポリマー粒子の集積体、又はこの集積体を包装シートで包んだものである、
第１〜３のいずれか１つの態様の吸収性物品。
【００１４】
（作用効果）
パルプ繊維及び高吸収性ポリマー粒子の集積体は、パルプ繊維により吸収速度を確保しつつ、高吸収性ポリマー粒子により吸収量を確保できるため広く用いられているが、これのみでは吸収体の強度低下及び吸収体の厚みの増加を防止しつつ、吸収可能量を向上させることは困難である。これに対して、前述の上吸収要素を組み合わせることにより、効果的に、吸収体の強度低下及び吸収体の厚みの増加を防止しつつ、吸収可能量を向上させるとともに、吸収速度も確保することができる。
【００１５】
＜第５の態様＞
前記下吸収要素は、前記非接合部における少なくとも前後方向及び幅方向の中間に、前後方向に細長く延びた、上面がくぼんだ凹部又は上下方向に貫通する貫通部を有する、
第１〜４のいずれか１つの態様の吸収性物品。
【００１６】
（作用効果）
このような凹部又は貫通部を有すると、上吸収要素と下吸収要素との隙間が確実に確保され、上吸収要素から下吸収要素への排泄液の移行遅延による拡散性の向上が図られるだけでなく、下吸収要素に移行した排泄液が凹部又は貫通部に沿って前後方向に拡散しやすくなる。
【００１７】
＜第６の態様＞
前記下吸収要素の表層における前記非接合部と重なる部分に、疎水剤又は撥水剤が含有されている、
第１〜５のいずれか１つの態様の吸収性物品。
【００１８】
（作用効果）
本態様のように疎水剤又は撥水剤を含有する加工を有することにより、上吸収要素から下吸収要素への排泄液の移行がより起こりにくくなり、拡散性がさらに向上するため好ましい。なお、疎水剤又は撥水剤を含有する部分における疎水効果又は撥水効果が、排泄液との接触により低下するようになっているのも一つの好ましい形態である。
【００１９】
＜第７の態様＞
前記上吸収要素の前縁と前記下吸収要素の前縁との前後方向の離間距離が、前記下吸収要素の全長の５〜４５％であり、
前記上吸収要素の後縁と前記下吸収要素の後縁との前後方向の離間距離が、前記下吸収要素の全長の５〜５０％であり、
前記上吸収要素の側縁と前記下吸収要素の側縁との幅方向の離間距離が、前記下吸収要素の全幅の５〜５０％であり、
前記非接合部の幅は、前記上吸収要素の全幅の１０〜８０％である、
第１〜６のいずれか１つの態様の吸収性物品。
【００２０】
（作用効果）
上吸収要素、下吸収要素及び非接合部の寸法は適宜定めればよいが、通常の場合、本態様の範囲内であることが好ましい。
【発明の効果】
【００２１】
以上のとおり、本発明によれば、吸収体の強度低下及び吸収体の厚みの増加を防止しつつ、吸収可能量を向上できる等の利点がもたらされる。
【図面の簡単な説明】
【００２２】
【図１】テープタイプ使い捨ておむつの内面を示す、展開状態の平面図である。
【図２】テープタイプ使い捨ておむつの外面を示す、展開状態の平面図である。
【図３】図１の５−５線断面図である。
【図４】図１の６−６線断面図である。
【図５】（ａ）図１の７−７線断面図、（ｂ）図１の８−８線断面図である。
【図６】（ａ）ウエスト伸縮シートの平面図、（ｂ）ウエスト伸縮シートの断面図である。
【図７】図１の９−９線断面図である。
【図８】上吸収要素の断面図である。
【図９】図１の５−５線断面図である。
【図１０】要部のみを示す断面図である。
【発明を実施するための形態】
【００２３】
以下、本発明の一実施形態について添付図面を参照しつつ説明する。なお、断面図における点模様部分は各構成部材を接合するホットメルト接着剤を示しているが、ホットメルト接着剤に代えて、他の接着剤を用いたり、ヒートシール、超音波シール等の溶着を用いたりすることにより接合してもよいことはいうまでもない。また、以下の説明において、「前後方向ＬＤ（縦方向）」とは腹側（前側）と背側（後側）を結ぶ方向を意味し、「幅方向ＷＤ」とは前後方向と直交する方向（左右方向）を意味する。
【００２４】
図１〜図７はテープタイプ使い捨ておむつの一例を示している。このテープタイプ使い捨ておむつは、前後方向中央Ｃより前側に延在する腹側部分Ｆ、及び前後方向中央Ｃより後側に延在する背側部分Ｂを有するものであり、腹側部分Ｆの胴周り部の外面に設けられたターゲットシート２０と、背側部分Ｂの胴周り部の左右両側に設けられた、ターゲットシート２０に対して着脱可能に連結される連結部１３Ａとを備えている。図１及び図２に示す例では、腹側部分Ｆ及び背側部分Ｂの胴周り部は、左右両側に延び出た（股間側の側縁よりも側方に位置する）ウイング部分ＷＰを有し、腹側部分Ｆ及び背側部分Ｂは左右のウイング部分ＷＰの間に位置する中間部分ＣＰを有する（換言すれば、側縁が脚周りに沿うように前後方向ＬＤの中間がくびれた）形態となっているが、腹側部分Ｆ及び背側部分Ｂの両方にウイング部分ＷＰを有しない形態としたり、背側部分Ｂはウイング部分ＷＰを有するが、腹側部分Ｆはウイング部分ＷＰを有しない形態としたりすることもできる。
【００２５】
（本体）
図１及び図２に示す例では、中間部分ＣＰ、背側部分Ｂのウイング部分ＷＰにおける先端側の一部を除く部分、腹側部分Ｆのウイング部分ＷＰは、吸収体５６と、吸収体５６の表側を被覆する液透過性のトップシート３０と、吸収体５６の裏側を被覆する液不透過性シート１１とを有する本体１０のシート（図示例ではギャザーシート６２、液不透過性シート１１、及び外装シート１２）により形成されている。図示しないが、中間部分ＣＰは本体１０により形成され、背側部分Ｂのウイング部分ＷＰ及び腹側部分Ｆのウイング部分ＷＰは、本体１０の両側部に取り付けられた本体１０とは別の部品により形成されていてもよい。
【００２６】
また、本体１０は、吸収体５６よりも前側及び後側に延びる、吸収体５６を有しないエンドフラップ部ＥＦと、吸収体５６よりも側方に延びる、吸収体５６を有しないサイドフラップ部ＳＦとを有している。なお、符号１０Ｘは本体１０の全幅を示し、符号１０Ｌは本体１０の全長（図示形態ではおむつの全長に等しい）を示している。
【００２７】
より詳細には、図示例では、本体１０の外面全体が外装シート１２により形成されており、その内面側に液不透過性シート１１がホットメルト接着剤等の接着剤により固定され、さらにこの液不透過性シート１１の内面側に吸収体５６を含む吸収要素４０，５０、及びトップシート３０がこの順に積層されている。トップシート３０及び液不透過性シート１１は図示例では長方形であり、吸収要素４０，５０よりも前後方向ＬＤ及び幅方向ＷＤにおいて若干大きい寸法を有しており、トップシート３０における吸収要素４０，５０の側縁よりはみ出る周縁部と、液不透過性シート１１における吸収要素４０，５０の側縁よりはみ出る周縁部とがホットメルト接着剤などにより固着されている。この部分はエンドフラップ部ＥＦ及びサイドフラップ部ＳＦの一部となる。
【００２８】
さらに、本体１０の表面における幅方向ＷＤの両側には、装着者の肌側に立ち上がる起き上がりギャザー６０，６０が設けられており、この起き上がりギャザー６０，６０を形成するギャザーシート６２，６２が、トップシート３０の両側部から各サイドフラップ部ＳＦまで延在されている。
【００２９】
以下、各部の素材及び特徴部分について順に説明する。
（外装シート）
外装シート１２は、使い捨ておむつの裏面を布のような肌触り・外観とするために設けられる。外装シート１２としては不織布が好適であるが、これに限定されない。不織布の種類は特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１５〜３０ｇ／ｍ2のものが望ましい。外装シート１２は省略することもでき、その場合、使い捨ておむつの裏面に液不透過性シート１１が露出する形態とすることができる。
【００３０】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、この他にも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂又は疎水性樹脂や撥水剤の塗工といった方法により、防水フィルムを用いずに液不透過性としたシートも、液不透過性シート１１として用いることができる。
【００３１】
図示例の液不透過性シート１１は、トップシート３０よりも幅が若干広く、外装シート１２より幅が狭くなっているが、これに限定されず、液不透過性シート１１は外装シート１２と同じ幅とするなど、適宜変更することができる。
【００３２】
液不透過性シート１１における表裏少なくとも一方には、外面から視認可能な装飾印刷１１ａ，１１ｂが施されていてもよい。装飾印刷１１ａ，１１ｂの種類や形状、寸法は特に限定されるものではない。装飾印刷１１ａ，１１ｂとしては、前後方向ＬＤ及び幅方向ＷＤに規則的に繰り返す文字（サイズ、ブランド名、メーカー名、絵柄の名前等）や、絵柄等の多数の構成単位からなる連続装飾印刷１１ａの他、製品ロゴや、キャラクターの絵、写真等のように製品の前後いずれか一方又は両方にのみ配置される間欠装飾印刷１１ｂがあり、いずれか一方又は両方を採用することができる。
【００３３】
（トップシート）
トップシート３０としては液透過性を有するもの、例えば、有孔又は無孔の不織布や、多孔性プラスチックシートなどを用いることができる。不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３４】
トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３５】
図示例のトップシート３０は、吸収体５６の側縁よりも側方に延びているが、これに限定されず、外装シート１２の側縁まで延びていてもよく、また起き上がりギャザーを有する形態では起き上がりギャザーの付根部分まで延びていれば、吸収体の側縁よりも幅方向内側までしか延びていなくてもよいなど、適宜変更することができる。
【００３６】
（中間シート）
トップシート３０を透過した排泄物を吸収要素４０，５０へ移動させ、逆戻りを防ぐために、トップシート３０と吸収要素４０，５０との間に図示しない中間シート（セカンドシートともいわれる）を設けることができる。この中間シートは、排泄物を速やかに吸収体へ移行させて吸収体による吸収性能を高めるばかりでなく、吸収した排泄物の吸収体からの逆戻りを防止し、トップシート３０の表面の肌触りを良くするものである。中間シートは省略することもできる。
【００３７】
中間シートの素材は特に限定されず、例えばトップシート３０と同様の素材を用いることができる。中間シート４０はトップシート３０に接合するのが好ましく、その接合にヒートエンボスや超音波溶着を用いる場合は、中間シートの素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シートに用いる繊維の繊度が１．０〜２．０ｄｔｅｘであると、トップシート３０の液残りは発生しにくいが、便の固形分が透過し難くなる。よって、中間シートに用いる不織布の繊維は繊度が２．０〜５．０ｄｔｅｘ程度とするのが好ましい。なお、中間シートはポリエチレンなどのフィルム素材に多数の細孔を設けたメッシュフィルムなどとすることも可能である。
【００３８】
中間シートは、吸収要素４０，５０の幅より短く中央に配置されていても、また全幅にわたって設けられていてもよい。中間シートの長手方向長さは、おむつの全長と同一でもよいし、吸収要素４０，５０の長さと同一でもよいし、液を受け入れる領域を中心にした短い長さ範囲内であってもよい。
【００３９】
（吸収要素）
吸収要素４０，５０は、尿や軟便の液分などの排泄液を吸収保持する部分であり、下吸収要素５０と、その上側に配置された上吸収要素４０とを有している。
【００４０】
（下吸収要素）
下吸収要素は、図示例では吸収体５６と、この吸収体５６の全体を包む包装シート５８とを有するものとなっている。吸収体５６が形状維持性に優れる場合等、必要に応じて包装シート５８は省略することもでき、その場合、下吸収要素５０は吸収体５６のみからなる。下吸収要素５０は、その裏面においてホットメルト接着剤等の接着剤を介して液不透過性シート１１の内面に接着することができる。
【００４１】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４２】
吸収体５６は図示例のように長方形形状とする他、前後方向中間に、その前後両側よりも幅が狭い括れ部を有する砂時計形状とすると、脚周りへのフィット性が向上するため好ましい。
【００４３】
また、吸収体５６の寸法は排尿口位置の前後左右にわたる限り適宜定めることができるが、前後方向ＬＤ及び幅方向ＷＤにおいて、本体１０の周縁近傍まで延在しているのが好ましい。
【００４４】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００４５】
高吸収性ポリマー粒子の材料としては、特に限定なく用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４６】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００４７】
高吸収性ポリマー粒子の目付け量は、当該吸収体５６の用途で要求される吸収量に応じて適宜定めることができる。したがって一概にはいえないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００４８】
吸収体５６における繊維及び高吸収性ポリマー粒子の比率は特に限定されないが、繊維：高吸収性ポリマー粒子が重量比で５０：５０〜２０：８０であると、同じ面積かつ同じ吸収量で比較するとより薄い吸収体５６とすることができる。この場合、吸収体５６の厚み５６ｔは特に限定されるものではないが、３〜１５ｍｍとすることができる。
【００４９】
高吸収性ポリマー粒子は、吸収体５６の厚み方向又は平面に沿う方向で含有率を変化させることができる。
【００５０】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５１】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、かつその前後縁部を吸収体５６の前後からはみ出させ、巻き重なる部分及び前後はみ出し部分の重なり部分をホットメルト接着剤、素材溶着等の接合手段により接合する形態が好ましい。
【００５２】
（上吸収要素）
上吸収要素４０は、図８に示す例のように、第１不織布層４１と、第２不織布層４２と、これら第１不織布層４１と第２不織布層４２との間に保持された高吸収性ポリマー粒子４３とを有する積層体である。この積層体における隣り合う層は互いにホットメルト接着剤等により接合されていることが好ましい。第１不織布層４１及び第２不織布層４２は特に限定されないが、高吸収性ポリマー粒子の感触が肌に伝わりにくい点や、高吸収性ポリマー粒子が膨潤するスペースを確保できる点で、嵩高のエアスルー不織布が好適である。また、第１不織布層４１及び第２不織布層４２における繊維の繊度及び目付けは特に限定されるものではないが、繊度は２．０〜５．０ｄｔｅｘ程度、目付けは１５〜３５ｇ／ｍ2程度とすることが好ましい。第１不織布層４１及び第２不織布層４２として同じ不織布を用いても、異なる不織布を用いてもよい。
【００５３】
上吸収要素４０に含まれる高吸収性ポリマー粒子４３としては、下吸収要素５０と同様のものを用いることができるが、中でも液透過性に優れるもの、具体的には吸水速度が２０〜３５秒かつ吸収量が５０〜７０ｇ／ｇであるものが好ましい。一方、下吸収要素５０に含まれる高吸収性ポリマー粒子４３は吸収量が多いもの、具体的には吸水速度が６０〜８０秒かつ吸収量が５０〜７０ｇ／ｇであるものが好適である。上吸収要素４０における高吸収性ポリマー粒子４３の目付けは適宜定めることができるが、５０〜２００ｇ／ｍ2程度とすることが好ましい。
【００５４】
上吸収要素４０は、第１不織布層４１と第２不織布層４２との間に高吸収性ポリマー粒子４３が保持される限り、第１不織布層４１及び第２不織布層４２の少なくとも一方の内部に高吸収性ポリマー粒子４３を含有していてもよい。例えば、図８に示す例では、上吸収要素４０の高吸収性ポリマー粒子４３のすべてが第１不織布層４１と第２不織布層４２との間に保持されているが、一部の高吸収性ポリマー粒子４３が第１不織布層４１及び第２不織布層４２内に混入していてもよい。また、図示しないが、高吸収ポリマー粒子４３を保持する不織布層が第１不織布層４１と第２不織布層４２との間に介在されていてもよい。
【００５５】
上吸収要素４０は、拡散性の向上機能も担うため、下吸収要素５０の前後方向ＬＤの中間、かつ下吸収要素５０の幅方向ＷＤの中間に配置される。具体的には、上吸収要素４０の前縁と下吸収要素５０の前縁との前後方向ＬＤの離間距離Ｄ１が、下吸収要素５０の全長５０Ｌの５〜４５％であり、上吸収要素４０の後縁と下吸収要素５０の後縁との前後方向ＬＤの離間距離Ｄ２が、下吸収要素５０の全長５０Ｌの５〜５０％であり、上吸収要素４０の側縁と下吸収要素５０の側縁との幅方向ＷＤの離間距離Ｄ３が、下吸収要素５０の全幅５０Ｗの５〜５０％であることが好ましい。
【００５６】
特徴的には、上吸収要素４０の幅方向ＷＤ両端部の位置に、上吸収要素４０と下吸収要素５０とが接合された接合部８０を有するとともに、これら接合部８０の間に位置し、上吸収要素４０の前後方向ＬＤ全体にわたり上吸収要素４０と下吸収要素５０とが接合されていない非接合部８１を有している。非接合部８１の幅は特に限定されるものではないが、上吸収要素４０の全幅４０Ｗの１０〜８０％であると好ましい。接合部８０は、図示例のように前後方向ＬＤに連続的に設ける他、前後方向ＬＤに間欠的に設けることもできる。
【００５７】
排泄時には、上吸収要素４０に供給された排泄液は上吸収要素４０内に浸透及び拡散し、一部は上吸収要素４０内の高吸収性ポリマー粒子４３に吸収され、残りは高吸収性ポリマー粒子４３により吸収されずに浸透及び拡散し、下吸収要素５０に向かうこととなる。ここで、図１０に矢印で排泄液Ｌｉの流れを示すように、非接合部８１では上吸収要素４０と下吸収要素５０との隙間が多く、上吸収要素４０から下吸収要素５０への排泄液Ｌｉの移行が起こりにくいため、上吸収要素４０内の排泄液Ｌｉは周囲に拡散しやすくなり、下吸収要素５０に対する排泄液の供給がより広範囲となる。つまり、上吸収要素４０の高吸収性ポリマー粒子４３による吸収可能量の増加に加え、拡散性の向上による吸収可能量の増加も図られる。しかも、上吸収要素４０は不織布を主体とするものであるため強度が高い。さらに、上吸収要素４０は高吸収性ポリマー粒子４３により吸収可能量を増加させるものであるため、吸収可能量を顕著に増加させても厚みの増加は非常に小さい。
【００５８】
図８に示すように、上吸収要素４０に含まれる高吸収性ポリマー粒子４３は、第１不織布層４１及び第２不織布層４２の少なくとも一方に固定されているのは好ましい形態である。このような構造の上吸収要素４０は、高吸収性ポリマー粒子４３が排泄液を吸収して膨張すると剛性が向上し、吸収後において上吸収要素４０と下吸収要素５０との隙間が維持されやすくなるため、繰り返し吸収時の拡散性に優れるものとなる。なお、このような構造の上吸収要素４０は、例えば第１不織布層４１及び第２不織布層４２における一方の対向面の全体にわたり連続的又は間欠的にホットメルト接着剤４４を塗布し、その塗布面上に高吸収性ポリマー粒子４３を散布した後に、第１不織布層４１及び第２不織布層４２を貼り合わせることにより製造することができる。
【００５９】
また、図３及び図１０に示す例のように、上吸収要素４０の両側部が下側に折り返された折り返し部分４５となっており、上吸収要素４０における折り返し部分４５と非折り返し部分４６とが接合されておらず、上吸収要素４０と下吸収要素５０との接合部８０は折り返し部分４５と下吸収要素５０とが接合されたものであると好ましい。折り返し部分４５の幅は接合部８０の幅の１．０〜２．５倍程度とすることができる。このように、上吸収要素４０が折り返し部分４５を有し、この折り返し部分４５を脚としてそれ以外の部分が下吸収要素５０から浮いた構造となっていると、上吸収要素４０から下吸収要素５０への排泄液の移行がより一層起こりにくくなり、拡散性がさらに向上する。特に、上吸収要素４０に含まれる高吸収性ポリマー粒子４３が第１不織布層４１及び第２不織布層４２の少なくとも一方に接着されている形態では、高吸収性ポリマー粒子４３が排泄液を吸収して膨張すると上吸収要素４０の剛性が向上するだけでなく、高吸収性ポリマー粒子４３の膨張力が、折り返し部分４５を復元するように作用するため、吸収後においては上吸収要素４０と下吸収要素５０との隙間がより大きく、かつより多く形成されるようになり、繰り返し吸収時の拡散性がさらに向上する。
【００６０】
前述の上吸収要素４０の役割を考慮すると、下吸収要素５０は、図示例のようにパルプ繊維及び高吸収性ポリマー粒子４３の集積体、又はこの集積体を包装シート５８で包んだものであることが好ましい。このような下吸収要素５０と前述の上吸収要素４０を組み合わせることにより、効果的に、吸収体５６の強度低下及び吸収体５６の厚みの増加を防止しつつ、吸収可能量を向上させるとともに、吸収速度も確保することができる。
【００６１】
また、前述の上吸収要素４０の役割を考慮すると、下吸収要素５０は、非接合部８１における少なくとも前後方向ＬＤ及び幅方向ＷＤの中間に、前後方向ＬＤに細長く延びた、上面がくぼんだ凹部５１（又は上下方向に貫通する貫通部でもよい。以下同じ。）を有することが好ましい。これにより上吸収要素４０と下吸収要素５０との隙間が確実に確保され、上吸収要素４０から下吸収要素５０への排泄液の移行遅延による拡散性の向上が図られるだけでなく、下吸収要素５０に移行した排泄液が凹部５１に沿って前後方向ＬＤに拡散しやすくなる。凹部５１は、その少なくとも一部が非接合部８１における少なくとも前後方向ＬＤ及び幅方向ＷＤの中間に位置する限り、上吸収要素よりも前後少なくとも一方側に延びていてもよい。一つの例としては、下吸収要素５０の前端を０％とし、下吸収要素５０の後端を１００％としたとき、凹部５１の前端は１０〜３０％の範囲に位置し、凹部５１の後端は４０〜８０％の範囲に位置しているのが好ましい。また、凹部５１は、幅方向ＷＤの中央に一本設ける他、左右両側に各一本設ける等、幅方向ＷＤに間隔を空けて複数本設けることもできる。凹部５１を幅方向ＷＤに間隔を空けて複数本設ける場合、凹部５１の幅方向位置は左右対称となることが好ましい。また、凹部５１の幅方向ＷＤの間隔は下吸収要素５０の幅の１０〜６０％程度とすることができる。凹部５１の幅は、下吸収要素５０の幅の３〜１５％程度とすることができる。また、凹部５１の深さは、下吸収要素５０の厚みの５０〜１００％程度とすることができる。凹部５１を幅方向ＷＤに間隔を空けて複数本設ける場合、そのうちの少なくとも一本が非接合部８１と重なる位置に位置していればよい。図３に示す例では、下吸収要素５０の吸収体５６にスリットを設け、包装シート５８をこのスリット内に落ちくぼませることにより凹部５１を形成しているが、図９に示す例のように、包装シート５８の上側から吸収体５６内までくぼむようにエンボス加工を施すことにより凹部５１を形成してもよい。
【００６２】
また、下吸収要素５０の表層（図示例では包装シート５８における吸収体５６の上側に位置する部分）における非接合部８１と重なる部分に、疎水剤又は撥水剤が含有されているのも好ましい形態である。このように疎水剤又は撥水剤を含有する加工を有することにより、上吸収要素４０から下吸収要素５０への排泄液の移行がより起こりにくくなり、拡散性がさらに向上するため好ましい。なお、疎水剤又は撥水剤を含有する部分における疎水効果又は撥水効果が、排泄液との接触により低下するようになっているのも一つの好ましい形態である。このような疎水剤又は撥水剤としては、Ｃ12〜Ｃ22脂肪アルコール、ワセリン、流動パラフィン、シリコーンオイル、動植物油（オリーブ油、ホオバ油、ベニバナ油、スクワラン及びスクワレン等）、ジグリセライド、トリグリセライド、パラフィンワックス、Ｃ12〜Ｃ22脂肪酸、シリコーン、シリコーン系レジン等を用いることができる。
【００６３】
（サイドギャザー）
図２及び図３に示すように、本体１０の側部の前後方向ＬＤ中間に位置する脚周り部分のフィット性を向上させるために、サイドフラップ部ＳＦの前後方向ＬＤ中間におけるシート層間（図示例ではギャザーシート６２と液不透過性シート１１との間）に、前後方向ＬＤに延びるサイド弾性部材７０が設けられており、このサイド弾性部材７０の伸縮により、サイド弾性部材７０を有する部分が前後方向ＬＤに伸縮するようになっている。
【００６４】
（起き上がりギャザー）
トップシート３０上を横方向に移動する尿や軟便を遮り、横漏れを防止するために、使い捨ておむつの表面における幅方向ＷＤの両側には、トップシート３０の側部から肌側に立ち上がる（突出する）起き上がりギャザー６０が前後方向全体にわたり設けられている。
【００６５】
図示例の起き上がりギャザー６０は、サイドフラップ部ＳＦを含む領域に固定された付根部分６５と、この付根部分６５から延び出た突出部分６６と、この突出部分の前後方向両端部が倒伏状態に固定された倒伏部分６７と、突出部分６６のうち前後の倒伏部分間に位置する非固定の起き上がり部分６８と、この起き上がり部分６８の少なくとも先端部に、前後方向に伸張した状態で固定されたギャザー弾性部材６３とを有している。起き上がりギャザー６０は、先端で折り返されたギャザーシート６２により形成されており、ギャザーシート６２としては撥水性不織布を用いることができ、またギャザー弾性部材６３としては糸ゴム等の細長状弾性部材を用いることができる。ギャザー弾性部材６３は、図１及び図２に示すように各複数本、間隔を空けて設ける他、各１本設けることができる。ギャザー弾性部材６３を有する部分の伸長率は特に限定されないが、通常の場合１５０〜３５０％が好ましく、２００〜３００％がより好ましい。
【００６６】
図示例の起き上がりギャザー６０の付根部分６５は、サイドフラップ部ＳＦにのみ設けられており、液不透過性シート１１の側部及び外装シート１２の側部に接合されているが、サイドフラップ部ＳＦから吸収体５６と重なる領域の側部まで延びていてもよい。
【００６７】
起き上がりギャザー６０の突出部分６６は、前後方向ＬＤの両端部が倒伏部分となっているものの、その間の部分は非固定の起き上がり部分６８とされており、この起き上がり部分６８がギャザー弾性部材６３の収縮力により起立するようになる。おむつの装着時には、おむつが舟形に体に装着されるので、そしてギャザー弾性部材６３の収縮力が作用するので、ギャザー弾性部材６３の収縮力により起き上がりギャザー６０が立ち上がり脚周りに弾力的に密着する。その結果、脚周りからのいわゆる横漏れが防止される。
【００６８】
（ウエスト伸縮シート）
背側部分Ｂにおける本体１０の胴周り部には帯状のウエスト伸縮シート９０が設けられ、背側部分Ｂが幅方向ＷＤに弾性伸縮するものとなっていると好ましい。ウエスト伸縮シート９０は、幅方向ＷＤの両端部が非伸縮領域９６となっているとともに、これら非伸縮領域９６の間の部分は、幅方向ＷＤに伸縮する中間伸縮領域９５となっているものである。ウエスト伸縮シート９０は、エンドフラップ部ＥＦにのみ位置していてもよいが、図示例のようにエンドフラップ部ＥＦから吸収体５６の後端部までにわたるように配置されていると、吸収体５６の後端部がしっかりと体に押し当てられるため、好ましい。
【００６９】
ウエスト伸縮シート９０は、ゴムシート等のシート状弾性部材を用いても良いが、通気性の観点から不織布を用いるのが好ましい。この場合、伸縮不織布のような通気性を有するシート状弾性部材を用いることもできるが、図６に示すように、二枚の不織布等のシート層９１をホットメルト接着剤等の接着剤により貼り合わせるとともに、両シート層９１間に有孔のシート状、網状、細長状（糸状又は紐状等）等の弾性部材９２を幅方向ＷＤに沿って伸長した状態で固定したものが好適に用いられる。この場合におけるシート層９１の素材としては、外装シート１２と同様のものを用いることができる。弾性部材９２の伸長率は１５０〜２５０％程度であるのが好ましい。また、弾性部材９２として細長状（糸状又は紐状等）のものを用いる場合、太さ４２０〜１１２０ｄｔｅｘのものを３〜１０ｍｍの前後方向間隔で５〜１５本程度設けるのが好ましい。
【００７０】
ウエスト伸縮シート９０の幅は適宜定めることができるが、図示例のように、左右のサイドフラップ部ＳＦ間にわたる幅となっていることが好ましく、特に左右のウイング部分ＷＰ間にわたる幅となっていることが好ましい。具体的な寸法としては、ウエスト伸縮シート９０の幅は本体１０の全幅１０Ｘの８０〜９５％程度とすることが好ましい。
【００７１】
ウエスト伸縮シート９０における中間伸縮領域９５及び非伸縮領域９６の寸法は適宜定めることができるが、中間伸縮領域９５の幅は後述する左右のファスナアセンブリ１３の連結部１３Ａ間の幅の４５〜１００％とすることが好ましく、非伸縮領域９６の幅は本体１０への取り付け時の縮みやめくれ防止のため５〜２０ｍｍ程度とすることが好ましい。非伸縮領域９６は弾性部材９２を有しない領域としてもよいが、特許文献３記載のように、中間伸縮領域９５及び非伸縮領域９６にわたり弾性部材９２を取り付けるとともに、非伸縮領域９６では弾性部材９２を切断する等により、非伸縮領域９６に弾性部材９２が残留するもののほとんど又は全く伸縮しない構造としてもよい。
【００７２】
また、弾性部材９２の一部が吸収体５６を横断するように配置することもできるが、図６に示すように、弾性部材９２が吸収体５６と重なる部分の一部又は全部を切断する等により、弾性部材９２が残留するもののほとんど又は全く伸縮しない構造とすると、吸収体５６の後端部が幅方向に縮まないため、フィット性がさらに向上する。
【００７３】
ウエスト伸縮シート９０は、図示形態では、液不透過性シート１１と吸収要素４０，５０との間に配置されているが、この配置に特に限定されるものではない。例えば、ウエスト伸縮シート９０は液不透過性シート１１と外装シート１２との間に配置されていてもよいし、外装シート１２の外側に設けてもよい。また、外装シート１２を複数枚のシート層を重ねて形成する場合には、ウエスト伸縮シート９０全体を、外装シート１２のシート層間に設けても良い。
【００７４】
（ファスナアセンブリ）
連結部１３Ａは、背側部分Ｂの胴周り部における本体１０の左右両側にそれぞれ取り付けられたファスナアセンブリ１３に設けられている。より詳細には、ファスナアセンブリ１３は、本体１０の裏面に固定されたファスナ固定部１３Ｂと、このファスナ固定部１３Ｂから側方に延び出た非固定のファスナ自由部１３Ｆとを有しており、ファスナ自由部１３Ｆの先端部に連結部１３Ａが設けられている。図示例とは異なり、連結部１３Ａは、胴周り部における本体１０の左右両側部に設けられていてもよい。
【００７５】
連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。おむつの装着に際しては、ウイング部分ＷＰを腰の両側から腹側部分Ｆの外面に回して、ウイング部分ＷＰの連結部１３Ａを腹側部分Ｆ外面の適所に連結する。
【００７６】
ファスナアセンブリ１３としては、図１に示すように、サイド伸縮領域を有しない非伸縮タイプ（タブタイプ）だけでなく、図示しないが、少なくともファスナ固定部１３Ｂと連結部１３Ａとの間の部分が幅方向ＷＤに伸縮するサイド伸縮領域を有する伸縮タイプ（サイドパネルタイプ）を採用することもできる。
【００７７】
非伸縮タイプのファスナアセンブリ１３の構造は特に限定されるものではなく、公知のものを採用することができる。図示例の非伸縮タイプのファスナアセンブリ１３は、本体１０の側縁から突出する支持片１３Ｃと、この支持片１３Ｃにおける本体１０の側縁から突出する部分の幅方向ＷＤ中間に設けられた連結部１３Ａとを有するものである。支持片１３Ｃの素材としては、不織布、プラスチックフィルム、ポリラミ不織布、紙やこれらの複合素材等、特に限定なく公知の素材を使用できるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００７８】
（ターゲットシート）
腹側部分Ｆにおける連結部１３Ａの連結箇所には、連結を容易にするためのターゲットシート２０が設けられている。連結部１３Ａがフック材の場合、ターゲットシート２０としては、プラスチックフィルムや不織布からなる基層と、その外面全体に設けられた、連結部１３Ａのフックが着脱自在に係合する係合層とを有するものを好適に用いることができる。この場合における係合層としては、基層に縫い込まれた糸により基層上にループが形成されている形態の他、熱可塑性樹脂の不織布層が間欠的な超音波シールにより基層上に取り付けられ、不織布の繊維がループをなす形態が知られているがいずれも好適に用いることができる。また、熱可塑性樹脂の不織布にエンボス加工を施したもので基層のないタイプのターゲットシート２０を用いることもできる。これらのターゲットシート２０では、連結部１３Ａのフックがループに絡まる又は引っ掛かることにより、連結部１３Ａがターゲットシート２０に連結される。また、連結部１３Ａが粘着材層の場合には、ターゲットシート２０として、平滑で粘着性に富む表面を有するプラスチックフィルムの表面に剥離処理を施したものを好適に用いることができる。
【００７９】
＜明細書中の用語の説明＞
明細書中の以下の用語は、明細書中に特に記載がない限り、以下の意味を有するものである。
・「展開状態」とは自然長の状態から、収縮や弛みなく完全に完全に平坦に伸ばし広げた状態を意味する。
・「ＭＤ方向」及び「ＣＤ方向」とは、製造設備における流れ方向（ＭＤ方向）及びこれと直交する横方向（ＣＤ方向）を意味し、テープタイプ使い捨ておむつでは、ＭＤ方向が製品の前後方向となるものであり、ＣＤ方向が製品の幅方向となるものである。
・「伸長率」は、自然長を１００％としたときの値を意味する。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置した後常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載のない限り、温度３７度で使用される。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
・「吸水量」は、ＪＩＳ  Ｋ７２２３−１９９６「高吸水性樹脂の吸水量試験方法」によって測定する。
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載がない場合、その試験や測定は、標準状態（試験場所は、温度２３±１℃、相対湿度５０±２％）の試験室又は装置内で行うものとする。
・各部の寸法は、特に記載がない限り、自然長状態ではなく展開状態における寸法を意味する。
【産業上の利用可能性】
【００８０】
本発明は、上記例のようなテープタイプ使い捨ておむつの他、パンツタイプ若しくはパッドタイプの使い捨ておむつはもちろん、生理用ナプキン等、吸収性物品全般に適用できるものである。
【符号の説明】
【００８１】
Ｂ…背側部分、Ｃ…前後方向中央、ＣＰ…中間部分、ＥＦ…エンドフラップ部、Ｆ…腹側部分、ＬＤ…前後方向、ＳＦ…サイドフラップ部、ＷＤ…幅方向、ＷＰ…ウイング部分、１０…本体、１１…液不透過性シート、１２…外装シート、１３…ファスナアセンブリ、１３Ａ…連結部、１３Ｂ…ファスナ固定部、１３Ｃ…支持片、１３Ｆ…ファスナ自由部、２０…ターゲットシート、３０…トップシート、４０…上吸収要素、５０…下吸収要素、４０，５０…吸収要素、５６…吸収体、５８…包装シート、６０…起き上がりギャザー、６２…ギャザーシート、６３…ギャザー弾性部材、７０…サイド弾性部材、９０…ウエスト伸縮シート、９５…中間伸縮領域、９６…非伸縮領域、４１…第１不織布層、４２…第２不織布層、４３…高吸収性ポリマー粒子、８０…接合部、８１…非接合部、４４…ホットメルト接着剤、４５…折り返し部分、４６…非折り返し部分。
【図１】
2018164633.tif 000003
【図２】
2018164633.tif 000004
【図３】
2018164633.tif 000005
【図４】
2018164633.tif 000006
【図５】
2018164633.tif 000007
【図６】
2018164633.tif 000008
【図７】
2018164633.tif 000009
【図８】
2018164633.tif 000010
【図９】
2018164633.tif 000011
【図１０】
2018164633.tif 000012